(57)【要約】【課題】本発明は、内部に取り付けられている複数のサーバーが作動する時に生じる熱を効果的に放熱することができるサーバーキャビネット及びこれを用いるサーバーシステムを提供することを目的とする。【解決手段】本発明のサーバーキャビネットは、入力/出力インタフェースを有する複数のサーバーを取り付けるために用いられ、ラックと、前記ラックの内部に設置され且つ前記複数のサーバーにそれぞれに電気接続する複数の入力/出力モジュールと、を備え、前記各々の入力/出力モジュールは、伸縮可能な入力/出力ソケットを含み、前記入力/出力ソケットは、対応する前記サーバーの入力/出力インタフェースに電気接続する。本発明は、前記サーバーキャビネットを用いるサーバーシステムも提供する。【選択図】図２
2011090668.tif 000002
【特許請求の範囲】
【請求項１】
入力/出力インタフェースを有する複数のサーバーを取り付けるために用いられ、ラックと、前記ラックの内部に設置され且つ前記複数のサーバーにそれぞれに電気接続する複数の入力/出力モジュールと、を備えるサーバーキャビネットであって、  
前記各々の入力/出力モジュールは、伸縮可能な入力/出力ソケットを含み、前記入力/出力ソケットは、対応する前記サーバーの入力/出力インタフェースに電気接続することを特徴とするサーバーキャビネット。
【請求項２】
前記各々の入力/出力モジュールは、ケーシング、前記ケーシングの内部に収容される電気回路基板及び駆動装置を備え、前記入力/出力ソケットは前記電気回路基板に接続され、前記ケーシングの一つの側面には、前記入力/出力ソケットを貫かせる貫通孔が設けられ、前記入力/出力ソケットは、前記駆動装置の制御によって、前記貫通孔を貫いて前記ケーシングの外部に突出するか又は前記ケーシングの内部に収容されることを特徴とする請求項１に記載のサーバーキャビネット。
【請求項３】
前記駆動装置は、支持板と、前記支持板から上に向って延在する少なくとも一つの案内塊と、プルロッドと、を備え、前記電気回路基板は前記支持板に固定され、前記プルロッドは、ロッド本体及び前記ロッド本体の片側に位置する少なくとも一つのスライドプレートを備え、前記案内塊は、傾斜面である案内面を備え、前記スライドプレートは、前記案内面に当接し且つ前記案内面に沿ってスライドできる傾斜面を備え、前記スライドプレートが前記案内塊の案内面に沿ってスライドすることにより、前記入力/出力ソケットが前記貫通孔により前記ケーシングの内外に伸縮されることを特徴とする請求項２に記載のサーバーキャビネット。
【請求項４】
前記駆動装置は、前記案内塊と前記ケーシングとの間に接続される第一スプリング及び前記ロッド本体の一端と前記ケーシングとの間に接続される第二スプリングをさらに備え、前記第一スプリング及び前記第二スプリングが自然状態にあると、前記入力/出力ソケットは前記貫通孔を貫いて前記ケーシングの外部に突出し、前記プルロッドを前記ケーシングの外側に向って引き出すと、前記第二スプリングは引き伸ばされて、前記スライドプレートの傾斜面は前記案内塊の案内面に沿ってスライドし、前記案内塊は前記第一スプリングを圧縮するとともに前記入力/出力ソケットを連動して、前記入力/出力ソケットは前記ケーシングの外部から前記ケーシングの内部に収容されることを特徴とする請求項３に記載のサーバーキャビネット。
【請求項５】
前記ロッド本体の他端には取っ手が設けられ、前記ケーシングには前記取っ手を貫かせる開口が設けられることを特徴とする請求項４に記載のサーバーキャビネット。
【請求項６】
前記駆動装置は、前記案内塊から前記ケーシングに向って延在する第一接続ロッド、前記第一接続ロッドを被せる第一固定部材をさらに備え、前記第一固定部材の一端は前記ケーシングに固定され、前記第一スプリングは前記第一接続ロッドを被せ且つ前記第一固定部材の他端と前記案内塊との間に位置することを特徴とする請求項５に記載のサーバーキャビネット。
【請求項７】
前記プルロッドは、前記ロッド本体の一端から前記ケーシングに向って延在する第二接続ロッド、前記ロッド本体と前記第二接続ロッドとの間に位置する押圧板及び前記第二接続ロッドを被せる第二固定部材をさらに備え、前記第二固定部材の一端は前記ケーシングに固定され、前記第二スプリングは前記第二接続ロッドを被せ且つ前記第二固定部材の他端と前記押圧板との間に位置することを特徴とする請求項６に記載のサーバーキャビネット。
【請求項８】
前記ラックは、対向して設置される上板及び下板と、前記上板と前記下板との間に接続される２つの側板と、を備え、前記複数の入力/出力モジュールは、前記ラックの高さ方向に沿って配列され且つ前記１つの側板に固定されることを特徴とする請求項１〜７のいずれの一項に記載のサーバーキャビネット。
【請求項９】
ラック及び前記ラックの内部に取り付けられる複数のサーバーを備えるサーバーシステムであって、
各々のサーバーの側面には、入力/出力インタフェースが設けられ、
前記ラックの内部には、前記複数のサーバーにそれぞれに電気接続する複数の入力/出力モジュールが収容され、
各々の入力/出力モジュールは、ケーシング及び伸縮可能な入力/出力ソケットを備え、前記ケーシングの側面には前記入力/出力ソケットを貫かせる複数の貫通孔が設けられ、前記入力/出力ソケットは、前記貫通孔を貫いて前記ケーシングの外部に突出されて対応する前記サーバーの入力/出力インタフェースに電気接続することを特徴とするサーバーシステム。
【請求項１０】
前記ラックは、対向して設置される上板及び下板と、前記上板と前記下板との間に接続される２つの側板と、を備え、前記複数の入力/出力モジュールは、前記ラックの高さ方向に沿って配列され且つ前記１つの側板に固定され、前記複数のサーバーは、前記ラックの高さ方向に沿って配列され且つ前記２つの側板の間に位置することを特徴とする請求項９に記載のサーバーシステム。
【発明の詳細な説明】
【技術分野】
【０００１】
本発明は、サーバーキャビネット及びこれを用いるサーバーシステムに関するものである。
【背景技術】
【０００２】
情報技術の発展に伴って、知識経済も増大し、データを貯蓄及び運算するために、各種のデータ貯蓄センター及びデータ運算センターを確立した。複数のサーバーを１つのサーバーキャビネットに装着してサーバーシステムを形成すると、空間を節約するばかりでなく、且つ便利に管理することができ、複数のサーバーが協同して作動するため、大きい運算項目を実行することができる。従って、サーバーキャビネットは、データ貯蓄センター及びデータ運算センターを確立する時に広く応用される。
【０００３】
通常、サーバーの高さはＵ（１Ｕ＝１．７５インチ＝４４．４５ｍｍ）を単位とするため、サーバーの類型も高さによって分ける。サーバーの外形は長方体であり、サーバーの背面には、複数の入力/出力インタフェースが設けられている。サーバーキャビネットも通用の工業標準を採用し、大部分のサーバーキャビネットの内部に２４〜４２個の１Ｕサーバーを取り付けることができる。使用する時、各々のサーバーの入力/出力インタフェースは、電線によって、キーボード、マウス、表示装置などの外部の入力/出力設備に接続する。
【発明の概要】
【発明が解決しようとする課題】
【０００４】
しかし、複数のサーバーが軸方向に沿って１つのサーバーキャビネットの内部に取り付けられ、且つ各々のサーバーの入力/出力インタフェースはそれぞれ対応する電線によって外部の入力/出力設備に電気接続するため、大量の電線が前記サーバーキャビネットの後方に乱雑に巻きついているため、前記複数のサーバーが作動する時に生じる熱は、前記大量の電線に当止されて前記サーバーキャビネットの後方から外界に順調に放熱することができなくなり、従って前記サーバーキャビネットの内部と外界との間の気流交換効率に影響し、熱量が前記サーバーキャビネットの内部に蓄積されて、前記サーバーキャビネット内のサーバーは過熱により作動を停止する。
【０００５】
本発明の目的は、前記課題を解決し、内部に取り付けられている複数のサーバーが作動する時に生じる熱を効果的に放熱することができるサーバーキャビネット及びこれを用いるサーバーシステムを提供することである。
【課題を解決するための手段】
【０００６】
本発明に係るサーバーキャビネットは、入力/出力インタフェースを有する複数のサーバーを取り付けるために用いられ、ラックと、前記ラックの内部に設置され且つ前記複数のサーバーにそれぞれに電気接続する複数の入力/出力モジュールと、を備え、前記各々の入力/出力モジュールは、伸縮可能な入力/出力ソケットを含み、前記入力/出力ソケットは、対応する前記サーバーの入力/出力インタフェースに電気接続する。
【０００７】
本発明に係るサーバーシステムは、ラック及び前記ラックの内部に取り付けられる複数のサーバーを備え、各々のサーバーの側面には、入力/出力インタフェースが設けられ、前記ラックの内部には、前記複数のサーバーにそれぞれに電気接続する複数の入力/出力モジュールが収容され、各々の入力/出力モジュールは、ケーシング及び伸縮可能な入力/出力ソケットを備え、前記ケーシングの側面には前記入力/出力ソケットを貫かせる複数の貫通孔が設けられ、前記入力/出力ソケットは、前記貫通孔を貫いて前記ケーシングの外部に突出されて対応する前記サーバーの入力/出力インタフェースに電気接続する。
【発明の効果】
【０００８】
従来の技術に比べて、本発明のサーバーキャビネットは、サーバーの入力/出力インタフェースに電気接続する入力/出力モジュールを備えるため、前記入力/出力モジュールを外部の入力/出力設備に電気接続するだけで、前記サーバーキャビネットの内部に装着されたサーバーを前記入力/出力設備に電気接続することができ、従って大量の電線を必要とせず、大量の電線が前記サーバーキャビネットの後方に乱雑に巻きつかず、サーバーが作動する時に生じる熱が大量の電線に当止されないため、前記サーバーキャビネットの内部に装着された複数のサーバーが作動する時に生じる熱を効果的に放熱することができる。
【図面の簡単な説明】
【０００９】
【図１】本発明の実施形態に係るサーバーシステムの組立図である。
【図２】図１に示すサーバーキャビネットの分解図である。
【図３】図２に示すサーバーキャビネットの１つの入力/出力モジュールの分解図である。
【図４】図３に示す入力/出力モジュールの組立図である。
【図５】図４に示す入力/出力モジュールのＶ−Ｖ線に沿う断面図である。
【図６】図１に示すサーバーシステムの前カバーを取り外してから、サーバーキャビネットの内部にサーバーを取り付ける過程を示す図である。
【発明を実施するための形態】
【００１０】
以下、図面を参照して、本発明の実施形態について説明する。
【００１１】
図１〜図２を参照すると、本発明の実施形態に係るサーバーキャビネット１０の内部に２４個の１Ｕサーバー２０を取り付けることができる。前記サーバー２０は、長方体であり、その右側面の先端部には、複数の入力/出力インタフェース２２が設けられている（図６を参照）。
【００１２】
前記サーバーキャビネット１０は、長方体であり、立体中空状のラック１１と、前記ラック１１の内部に収容される複数組のガイドレール１３及び複数の入力/出力モジュール３０と、前記ラック１１の前面に装着されるフロントカバー１４と、前記ラック１１の背面に装着されるバックカバー１５と、を備える。前記ラック１１は、対向して設置される矩形の上板１１１及び下板１１３と、前記上板１１１及び前記下板１１３の左右両側に連接される左側板１１２及び右側板１１４と、を備える。前記上板１１１、前記下板１１３、並びに前記左側板１１２及び右側板１１４が囲んで矩形の収容空間１１６を形成する。前記サーバー２０及び他のネットワーク設備は前記収容空間１１６に収容される。前記フロントカバー１４及び前記バックカバー１５は、別々に前記上板１１１及び前記下板１１３の前後両端に接続され、且つ前記ラック１１に相対して開閉することができる。前記フロントカバー１４には、複数の貫通孔１４０が規則的に配列されており、前記バックカバー１５には、複数の貫通孔１５０が規則的に配列されている。
【００１３】
各組のガイドレール１３は、それぞれ前記ラック１１の左右両側の同じ高さに位置する第一ガイドレール１３１及び第二ガイドレール１３２を備える。前記第一ガイドレール１３１の長さは、前記第二ガイドレール１３２の長さより大きい。前記複数組のガイドレール１３は、前記ラック１１の高さ方向に沿って配列されており、前記第一ガイドレール１３１の後端と前記第二ガイドレール１３２の後端は同じ平面に位置し且つ前記バックカバー１５に近く、前記第一ガイドレール１３１の前端は前記第二ガイドレール１３２の前端より前記フロントカバー１４にさらに近く、前記第二ガイドレール１３２の前端と前記フロントカバー１４との間には収容部を形成する。各組のガイドレール１３は、１つのサーバー２０を積載することができ、且つ該サーバー２０を案内して前記第一ガイドレール１３１及び前記第二ガイドレール１３２の延在方向に沿って水平移動することができる。前記入力/出力モジュール３０は、前記ラック１１の高さ方向に沿って配列され且つ前記第二ガイドレール１３２の前端と前記フロントカバー１４との間の収容部に収容される。
【００１４】
図３を参照すると、前記入力/出力モジュール３０は、ケーシング３１と、前記ケーシング３１の内部に収容される電気回路基板３２と、前記電気回路基板３２の上に位置する複数の入力/出力ソケット３３と、前記入力/出力ソケット３３を制御し且つ前記ケーシング３１の外部に突出されるか又は前記ケーシング３１の内部に収容される駆動装置４０と、を備える。
【００１５】
前記ケーシング３１は、中空の長方体であり、その右側面３１３には、矩形の開口３１０が設けられており、その前側面３１５には、複数の貫通孔３１１が設けられている。前記電気回路基板３２は、矩形の板状であり、且つ前記ケーシング３１の底面３１２に位置する。前記複数の入力/出力ソケット３３は、前記電気回路基板３２の前記ケーシング３１の前側面３１５に近い片側に設置される。
【００１６】
前記駆動装置４０は、縦長い支持板４１と、前記支持板４１の左右両端からそれぞれ上に向って延在する２つの案内部４３と、前記支持板４１の上方に位置するプルロッド４５と、前記プルロッド４５の片側からそれぞれ前記案内部４３が所在する方向に向って延在する２つの滑動部４７と、を備える。
【００１７】
図４及び図５を一緒に参照すると、前記案内部４３は、前記支持板４１の上表面から上に向って直交して延在する案内塊４３１と、前記案内塊４３１の片側から直交して延在する第一接続ロッド４３３と、前記第一接続ロッド４３３に被せる第一スプリング４３５と、第一固定部材４３６と、を備える。前記案内塊４３１は、前記ケーシング３１の後側面３１６に対面する平らな第一側面４３０及び前記ケーシング３１の前側面３１５に対面する第二側面４３２を備える。前記第二側面４３２は、前記第一側面４３０に平行な当接面４３２１及び前記当接面４３２１と鈍角を呈する案内面４３２３を備える。前記第一接続ロッド４３３は、前記案内塊４３１の第一側面４３０から前記ケーシング３１の後側面３１６に向って延在し、且つ前記第一固定部材４３６の軸方向に沿って直線運動しながら前記第一固定部材４３６の内部に収容できる。前記第一スプリング４３５の両端は、それぞれ前記第一固定部材４３６及び前記案内塊４３１の第一側面４３０に当接する。前記第一スプリング４３５は、前記第一固定部材４３６が直線運動する際、圧縮されるか又は引き伸ばされる。前記第一固定部材４３６は、環形柱状体であり、その一端は前記ケーシング３１の後側面３１６に固定される。
【００１８】
前記プルロッド４５は、縦長いロッド本体４５０と、前記ロッド本体４５０の左端に位置する固定部４５１と、前記ロッド本体４５０の右端に位置する力量印加部４５６と、を備える。前記力量印加部４５６は、前記ロッド本体４５０に直交する矩形の防塵板４５７と、前記防塵板４５７から前記ロッド本体４５０に離れる方向へ延在する取っ手４５８と、を備える。前記取っ手４５８は、前記ケーシング３１の右側面３１３の開口３１０から前記ケーシング３１の外部に突出され、前記防塵板４５７は前記開口３１０を覆って、ほこりなどの不純物が前記開口３１０から前記ケーシング３１の内部に入らないようにする。前記固定部４５１は、前記ロッド本体４５０に直交する矩形の押圧板４５２と、前記押圧板４５２から前記ロッド本体４５０に離れる方向へ延在する第二接続ロッド４５４と、前記第二接続ロッド４５４に被せる第二スプリング４５３と、第二固定部材４５５と、を備える。前記第二固定部材４５５、前記第二スプリング４５３、前記第二接続ロッド４５４の形状及び位置関係は、前記第一固定部材４３６、前記第一スプリング４３５及び第一接続ロッド４３３の形状及び位置関係と同じである。前記第二固定部材４５５の一端は、前記ケーシング３１の左側面３１４に固定され、前記第二固定部材４５５と前記ケーシング３１の底面３１２との間の距離は、前記第一固定部材４３６と前記ケーシング３１の底面３１２との間の距離とほぼ等しい。前記第二接続ロッド４５４は、前記押圧板４５２から前記ケーシング３１の左側面３１４に向って延在し、且つ前記第二固定部材４５５の軸方向に沿って直線運動しながら前記第二固定部材４５５の内部に収容できる。前記滑動部４７は、前記ロッド本体４５０に平行するスライドプレート４７１と、前記スライドプレート４７１の一端から直交して延在する当止板４７３と、前記スライドプレート４７１と前記ロッド本体４５０との間に接続される２つの接続板４７５と、を備える。前記スライドプレート４７１の他端は傾斜面４７１０であり、前記傾斜面４７１０の傾斜方向と前記案内塊４３１の案内面４３２３の傾斜方向は同じである。前記スライドプレート４７１は、前記案内塊４３１の当接面４３２１に平行し、前記スライドプレート４７１の傾斜面４７１０は、前記案内塊４３１の案内面４３２３に当接する。前記当止板４７３は、前記案内塊４３１の前記案内面４３２３に対向する一端に当接し、且つ前記ケーシング３１の後側面３１６に向って延在する。
【００１９】
前記電気回路基板３２は、ねじのような固定素子により前記駆動装置４０の支持板４１に固定される。前記第一スプリング４３５及び前記第二スプリング４５３が自然状態にあうる時、前記スライドプレート４７１は、前記案内塊４３１の当接面４３２１に接触し、前記スライドプレート４７１の傾斜面４７１０は、前記案内塊４３１の案内面４３２３の前記当接面４３２１に近い一端に当接し、前記電気回路基板３２は、前記ケーシング３１の前側面３１５に近く、前記入力/出力ソケット３３は、前記ケーシング３１の前側面３１５の貫通孔３１１から前記ケーシング３１の前側に突出される。前記取っ手４５８を取って前記ケーシング３１の右側に向って前記プルロッド４５を水平的に引き出すと、前記第二スプリング４５３は引き伸ばされて、前記スライドプレート４７１はその傾斜面４７１０により前記案内塊４３１の案内面４３２３に沿って前記当接面４３２１から離れる方向へスライドするとともに、前記案内塊４３１を前記ケーシング３１の後側面３１６に向って移動させて、前記第一スプリング４３５が圧縮され、前記電気回路基板３２は、前記支持板４１に連動されて前記案内塊４３１とともに前記ケーシング３１の後側面３１６に向って移動し、前記スライドプレート４７１の傾斜面４７１０が前記案内塊４３１の案内面４３２３の前記当接面４３２１に遠い一端に当接すると、前記電気回路基板３２は、前記ケーシング３１の前側面３１５から離れて、前記入力/出力ソケット３３は、前記ケーシング３１の内部に収容される。前記取っ手４５８を放すと、前記第一スプリング４３５及び前記第二スプリング４５３は自然状態に戻り、前記スライドプレート４７１の傾斜面４７１０は、前記案内塊４３１の案内面４３２３に沿ってスライドして、前記案内塊４３１の案内面４３２３の前記当接面４３２１に近い一端に当接し、前記電気回路基板３２は、前記ケーシング３１の前側面３１５に近い方向へ移動して、前記入力/出力ソケット３３は、前記ケーシング３１の前側面３１５の貫通孔３１１から前記ケーシング３１の前側に突出する。
【００２０】
図６を参照すると、前記サーバーキャビネット１０を組み立てる場合、前記複数の入力/出力モジュール３０を前記ラック１１の高さ方向に沿って前記右側板１１４の前端部分に配列固定し、各々の入力/出力モジュール３０の後側面３１６は、前記ラック１１の右側板１１４の内表面に当接し、各々の入力/出力モジュール３０の前側面３１５は、前記ラック１１の左側板１１２に対面し、各々の入力/出力モジュール３０のケーシング３１の右側面３１３から突出される取っ手４５８は、前記ラック１１の前方に向う。１つのサーバー２０を前記ラック１１内の所定高さに位置する一組のガイドレール１３に装着する場合、前記所定高さに位置する前記入力/出力モジュール３０の取っ手４５８を引き出して、前記入力/出力モジュール３０の入力/出力ソケット３３を前記ケーシング３１の内部に収容させ、それから前記サーバー２０の左右両側をそれぞれ前記ラック１１の左側板１１２の対応する高さに位置する第一ガイドレール１３１及び前記ラック１１の右側板１１４の対応する高さに位置する第二ガイドレール１３２に位置合わせして、前記ガイドレール１３に沿って前記サーバー２０を推進する。この過程において、前記ガイドレール１３は、前記サーバー２０が前記ラック１１の前後方向に沿って水平移動するように案内する。前記取っ手４５８を放すと、前記所定高さに位置する前記入力/出力モジュール３０の入力/出力ソケット３３は、そのケーシング３１の前側面３１５の開口３１１から突出して前記サーバー２０の右側面の入力/出力インタフェース２２に電気接続される。
【００２１】
作動する時、前記サーバーキャビネット１０外部の冷却気流は、前記フロントカバー１４の貫通孔１４０から前記サーバーキャビネット１０の内部に入り、続いて前記サーバー２０の内部に入り、且つ前記サーバー２０が作動する時に生じる熱を吸収して高温気流を形成し、該高温気流は前記バックカバー１５の貫通孔１５０から排出されるため、前記サーバー２０が作動する時に生じる熱は外部環境に放熱される。
【００２２】
前記サーバーキャビネット１０は、前記入力/出力モジュール３０を採用するため、大量の電線を必要としなく、従って大量の電線が前記サーバーキャビネット１０の後方に乱雑に巻きつかなく、前記サーバーキャビネット１０の内部と外界との間の気流交換効率を高める。なお、前記入力/出力モジュール３０は、前記サーバーキャビネット１０の側面における前記サーバーキャビネット１０の前方に近い位置に設置されるため、電線で前記入力/出力モジュール３０を外部の入力/出力設備に電気接続する時、操作人員は前記サーバーキャビネット１０の後方に立って操作しなくてもよく、従って操作人員は前記サーバーキャビネット１０から排出される熱気流の影響を受けない。
【００２３】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２４】
１０  サーバーキャビネット
１１  ラック
１３  ガイドレール
１４  フロントカバー
１５  バックカバー
２０  サーバー
３０  入力/出力モジュール
３１  ケーシング
３２  電気回路基板
３３  入力/出力ソケット
４０  駆動装置
４１  支持板
４３  案内部
４５  プルロッド
４７  滑動部
１１１  上板
１１２  左側板
１１３  下板
１１４  右側板
１１６  収容空間
１３１  第一ガイドレール
１３２  第二ガイドレール
１４０、１５０、３１１  貫通孔
３１０  開口
３１２  底面
３１３  右側面
３１４  左側面
３１５  前側面
３１６  後側面
４３０  第一側面
４３１  案内塊
４３２  第二側面
４３３  第一接続ロッド
４３５  第一スプリング
４３６  第一固定部材
４５０  ロッド本体
４５１  固定部
４５２  押圧板
４５３  第二スプリング
４５４  第二接続ロッド
４５５  第二固定部材
４５６  力量印加部
４５７  防塵板
４５８  取っ手
４７１  スライドプレート
４７３  当止板
４７５  接続板
４３２１  当接面
４３２３  案内面
４７１０  傾斜面
【図１】
2011090668.tif 000003
【図２】
2011090668.tif 000004
【図３】
2011090668.tif 000005
【図４】
2011090668.tif 000006
【図５】
2011090668.tif 000007
【図６】
2011090668.tif 000008